(57)【要約】 【課題】  既存の紙折り機を介して形成された折丁を重ね合わせて製本するための新規な方法、及び当該重ね合わせのために用いる新規な重ね合せ装置の提供を図る。【解決手段】  紙折り用ナイフＲを具えた折丁重ね合わせ装置Ｌに対して、その対称的な方向から所定の折丁Ｐ，Ｑを同時に供給することによって、当該紙折り用ナイフＲ部分の真下に位置するように重ね合わせ、当該紙折り用ナイフＲの降下に基づきこれを二つ折りし、然る後、その二つ折り縁を除いた自余の三辺に対する裁断処理を施すようにした折丁を重ね合せて製本するための方法。【選択図】  図４
2011126201.tif 000002
【特許請求の範囲】
【請求項１】
紙折り用ナイフ(Ｒ)を具えた折丁重ね合わせ装置(Ｌ)に対して、その対称的な方向から所定の折丁(Ｐ，Ｑ)を同時に供給することによって、当該紙折り用ナイフ(Ｒ)部分の真下に位置するように重ね合わせ、当該紙折り用ナイフ(Ｒ)の降下に基づきこれを二つ折りし、然る後、その二つ折り縁を除いた自余の三辺に対する裁断処理を施すことを特徴とする折丁を重ね合せて製本するための方法。
【請求項２】
紙折り用ナイフ(Ｒ)を具えた折丁重ね合わせ装置に対して、その対称的な方向から所定の折丁(Ｐ，Ｑ)の供給と、当該折丁(Ｐ，Ｑ)の下位に位置させるための表紙用シート(Ｗ)の供給を同時的に行うことによって、これらを当該紙折り用ナイフ(Ｒ)部分の真下に位置するように重ね合わせると共に、当該紙折り用ナイフ(Ｒ)の降下に基づきこれらを二つ折りし、然る後、その二つ折り縁を除いた自余の三辺に対する裁断処理を施すことを特徴とする折丁を重ね合せて製本するための方法。
【請求項３】
対称的位置に既存の折り機(Ｍ，Ｎ)を隣接させて用いるための折丁重ね合せ装置(Ｌ)であって、当該折丁重ね合せ装置(Ｌ)は、上記折り機(Ｍ，Ｎ)から夫々供給される折丁(Ｐ，Ｑ)をその中央部で重ね合わせるように搬送するための搬送用ベルト機構と、当該重ね合わせ状態においてこれを二つ折りするための紙折り用ナイフ機構とを具え、更に、当該二つ折り状態において、両折丁の二つ折り部分で綴じ用接着を行うための糊塗布層(ｐ2) を形成するための糊塗布機構を、下側に位置させる折丁(Ｐ)を供給するための折り機(Ｍ)側に設けるように構成した折丁重ね合せ装置。
【請求項４】
無端状にしてかつ回転自在に架設した下位側搬送ベルト(１)と上位側搬送ベルト(２)をセットとし、これを複数セット所定間隔を保った並行状態で架設するような形態を有する折丁重ね合せ装置(Ｌ)であって、
両搬送ベルト(１，２)はそれぞれ反対方向に回転するものとし、当該下位側搬送ベルト(１)と上位側搬送ベルト(２)の両端には、各折り縁(ｐ1，ｑ1)側を先端とするような形態で折丁を送るための既存の折り機(Ｍ，Ｎ)を対称的に隣接させて配置し、
一方の折り機(Ｍ)から送られてくる折丁(Ｐ)の停止を図るためのストッパーとしての役割を担う垂直面(3ａ)と、他方の折り機Ｎから送られてくる折丁(Ｑ)に対する通過を妨げないようにその上面側を滑らせて通過させるためのジャンプ用台としての役割を担う斜状上面(3ｂ)とを具えたストッパー兼ジャンプ用台(３)を、上記セット状搬送ベルトのそれぞれの並行間隔内に取付け、
更に、他方の折り機(Ｎ)から送られてくる折丁(Ｑ)の所定位置での停止を図るための受け止め用片(４)を、両搬送ベルト(1，2)とは非接触状態を保つように浮かせた状態で取り付けることによって、両折り機(Ｍ，Ｎ)から送られてくる折丁(Ｐ，Ｑ)が、両搬送ベルト(１，２)による移動に基づき上記ストッパー兼ジャンプ用台(３)の垂直面(3ａ)と受け止め用片(４)間に重ね合わせた状態で位置させるように構成し、
当該重ね合わせ状態においてこれを二つ折りするための紙折り用ナイフ(Ｒ)を設けると共に、当該二つ折り状態において、両折丁の二つ折り部分での綴じ用接着を行うための糊塗布層(ｐ2) の形成用たる糊塗布用ヘッド(ｍ)を、下側に位置させる折丁(Ｑ)を供給するための折り機(Ｍ)側に設けるように構成した請求項３に記載の折丁重ね合せ装置。
【請求項５】
対称的位置に既存の折り機(Ｍ，Ｎ)を隣接させて用いるための折丁重ね合せ装置であって、当該折丁重ね合せ装置は、上記折り機(Ｍ，Ｎ)から夫々供給される折丁(Ｐ，Ｑ)をその中央部で重ね合わせるように搬送するための下位側搬送ベルト(１)及び上位側搬送ベルト(２)と、当該両側搬送ベルト(1,2)の下方位置に架設すると共にその中央部分は下位側搬送ベルト(１)に対して表紙用シートの紙厚が通る程度の間隔に近接させた表紙搬送用ベルト(５)とを有し、
当該重ね合わせ状態においてこれを二つ折りするための紙折り用ナイフ機構を具えると共に、当該二つ折り状態において、両折丁の二つ折り部分で綴じ用接着を行うための糊塗布層(ｐ2) を形成するための糊塗布機構を、下位側に位置させる折丁(Ｐ)を供給するための折り機(Ｍ)側に設けるように構成した折丁重ね合せ装置。
【請求項６】
無端状にしてかつ回転自在に架設した下位側搬送ベルト(１)及び上位側搬送ベルト(２)と表紙用シート搬送用ベルト(５)との三者を一つのセットとし、これを複数セット所定間隔を保った並行状態で架設するような形態を有する折丁重ね合せ装置であって、
両搬送ベルト(１，２)はそれぞれ反対方向に回転するものとし、表紙用シート搬送用ベルト(５)は上位側搬送ベルト２と同一方向に回転するものとし、
当該下位側搬送ベルト(１)と上位側搬送ベルト(２)の両端には、各折り縁(ｐ1，ｑ1)側を先端とするような形態で折丁を送るための既存の折り機(Ｍ，Ｎ)を対称的に隣接させて配置すると共に、表紙用シート搬送用ベルト(５)には既存の表紙送り機Ｖを配置し、
下位側搬送ベルト(１)で送られてくる折丁(Ｐ)の停止を図るためのストッパーとしての役割を担う垂直面(3ａ)と上位側搬送ベルト(２)で送られてくる折丁(Ｑ)に対する通過を妨げないようその上面側を滑らせて通過させるためのジャンプ用台としての役割を担う斜状上面(3ｂ)とを具えたストッパー兼ジャンプ用台(３)を、前記した三者セット状の搬送ベルトのそれぞれの並行間隔内に取付け、
更に、他方の折り機(Ｎ)から送られてくる折丁(Ｑ)の所定位置での停止を図るための受け止め用片(４)を、両搬送ベルト(1，2)とは非接触状態を保つように浮かせた状態で取り付けることによって、両折り機(Ｍ，Ｎ)から送られてくる折丁(Ｐ，Ｑ)を、両搬送ベルト(１，２)による移動に基づき上記ストッパー兼ジャンプ用台(３)の垂直面(3ａ)と受け止め用片(４)間に重ね合わせた状態で位置させると共に、上記受け止め用片(４)の真下には、搬送される表紙用シート(Ｗ)を、上記重ね合わせ状態にある折丁(Ｐ，Ｑ)の最下位での重ね合わせ状態で停止させるための第２受け止め用片(６)を垂設し、
当該重ね合わせ状態においてこれを二つ折りするための紙折り用ナイフ(Ｒ)を設けると共に、当該二つ折り状態において、両折丁の二つ折り部分で綴じ用接着を行うための糊塗布層(ｐ2) を形成するための糊塗布用ヘッド(ｍ)を、下位側に位置させる折丁(Ｑ)を供給するための折り機(Ｍ)側に設けるように構成した請求項６に記載の折丁重ね合せ装置。
【請求項７】
糊塗布用ヘッドを表紙送り専用の折り機(Ｓ)に設けることにより、表紙用シート(Ｗ)の中央部分に綴じ用糊塗布層を形成するように構成した請求項５または請求項６の何れかに記載の折丁重ね合せ装置。
【発明の詳細な説明】
【技術分野】
【０００１】
本発明は、所要の紙折り機を介して形成された折丁を重ね合わせて製本するための方法、及び当該重ね合わせのために用いる重ね合せ装置に関する。
【背景技術】
【０００２】
従来、カタログのような小冊子を製本する場合、図１１に示すように、「中綴じ製本の対象とする紙葉Ａに対して、その折半位置の上面の全体に亙って糊塗布用器具Ｂを介して細い帯状の糊塗布層Ｃを形成すると共に、当該糊塗布層Ｃを形成した複数枚の紙葉Ａを順次重ね合わせ、然る後、その上方から紙折りナイフＤを降下させて、各紙葉をその折半位置において一括して折り曲げることに依って折丁処理を行うと同時に、当該ナイフＤの押圧力に基づくナイフ折り処理を施すことにより、各糊塗布層相互の接合に基づく綴じ処理を一括して行い」これにより完成された小冊子Ｅを得るようにするものであった。（例えば、特許文献１参照。）
【０００３】
すなわち、従来に於いては複数の紙葉を重ね合わせる場合、各紙葉を同一の方向（図面に示す矢印方向）から順次送ることによって重ね合わせ、このような重ね合わせ工程が完了した後に、紙折りナイフの降下に基づきこれを一括して折曲げるものであった。
【特許文献１】特開２００３−２２０７７４号
【発明の開示】
【発明が解決しようとする課題】
【０００４】
上述したように、各紙葉を同一の方向から順次送るような方式であると、最初の紙葉が送られて安定した後に、次の紙葉を送ると言う様な工程を採らざるを得ず、従って、高速的積み重ねと言う観点に於いて難点が生じることを余儀なくされた。  すなわち、当該送り間隔時間が早すぎた場合は、重ね合わせに齟齬が生じてしまうこととなり、反対に、この間隔時間を長くした場合は、生産性が劣化すると言うような問題が必然生じてしまうこととなる。
【０００５】
本発明は、カタログのような小冊子の場合、送る紙葉として、二つ折り、四つ折り、八つ折り等の折丁を用いることにより、２単位の紙葉の重ね合わせで、殆どの形成目的が達成されることに着眼し、これの送りを左右方向から同時に行うことにより、その積み重ね工程の時間的短縮化を図り、また、必要に応じて表紙の綴じ込みをも可能化する、と言うような、新規の「折丁を重ね合せて製本するための方法」及び「折丁重ね合せ装置」の提供を図り、もって、前記したような従来方法における問題点の解決化を図ったものである。
【課題を解決するための手段】
【０００６】
本発明は請求項１に記載のように、紙折り用ナイフＲを具えた折丁重ね合わせ装置Ｌに対して、その対称的な方向から所定の折丁Ｐ，Ｑを同時に供給することによって、当該紙折り用ナイフＲ部分の真下に位置するように重ね合わせ、当該紙折り用ナイフＲの降下に基づきこれを二つ折りし、然る後、その二つ折り縁を除いた自余の三辺に対する裁断処理を施すようにした折丁を重ね合せて製本するための方法に係る。
【０００７】
本発明は請求項２に記載のように、紙折り用ナイフＲを具えた折丁重ね合わせ装置Ｌに対して、その対称的な方向から所定の折丁Ｐ，Ｑの供給と、当該折丁Ｐ，Ｑの下位に位置させるための表紙用シートＷの供給を同時的に行うことによって、これらを当該紙折り用ナイフＲ部分の真下に位置するように重ね合わせると共に、当該紙折り用ナイフＲの降下に基づきこれらを二つ折りし、然る後、その二つ折り縁を除いた自余の三辺に対する裁断処理を施すことを特徴とする折丁を重ね合せて製本するための方法に係る。
【０００８】
本発明は請求項３に記載のように、対称的位置に既存の折り機Ｍ，Ｎを隣接させて用いるための折丁重ね合せ装置Ｌであって、当該折丁重ね合せ装置Ｌは、上記折り機Ｍ，Ｎから夫々供給される折丁Ｐ，Ｑをその中央部で重ね合わせるように搬送するための搬送用ベルト機構と、当該重ね合わせ状態においてこれを二つ折りするための紙折り用ナイフ機構とを具え、更に、当該二つ折り状態において、両折丁の二つ折り部分で綴じ用接着を行うための糊塗布層ｐ2 を形成するための糊塗布機構を、下側に位置させる折丁Ｐを供給するための折り機Ｍ側に設けるように構成した折丁重ね合せ装置に係る。
【０００９】
本発明は請求項４に記載のような構成、すなわち、無端状にしてかつ回転自在に架設した下位側搬送ベルト１と上位側搬送ベルト２をセットとし、これを複数セット所定間隔を保った並行状態で架設するような形態を有する折丁重ね合せ装置Ｌであって、両搬送ベルト１，２はそれぞれ反対方向に回転するものとし、当該下位側搬送ベルト１と上位側搬送ベルト２の両端には、各折り縁ｐ1，ｑ1側を先端とするような形態で折丁を送るための既存の折り機Ｍ，Ｎを対称的に隣接させて配置し、一方の折り機Ｍから送られてくる折丁Ｐの停止を図るためのストッパーとしての役割を担う垂直面3ａと、他方の折り機Ｎから送られてくる折丁Ｑに対する通過を妨げないようにその上面側を滑らせて通過させるためのジャンプ用台としての役割を担う斜状上面3ｂとを具えたストッパー兼ジャンプ用台３を、上記セット状搬送ベルトのそれぞれの並行間隔内に取付け、更に、他方の折り機Ｎから送られてくる折丁Ｑの所定位置での停止を図るための受け止め用片４を、両搬送ベルト1，2とは非接触状態を保つように浮かせた状態で取り付けることによって、両折り機Ｍ，Ｎから送られてくる折丁Ｐ，Ｑが、両搬送ベルト１，２による移動に基づき上記ストッパー兼ジャンプ用台３の垂直面3ａと受け止め用片４間に重ね合わせた状態で位置させるように構成し、当該重ね合わせ状態においてこれを二つ折りするための紙折り用ナイフＲを設けると共に、当該二つ折り状態において、両折丁の二つ折り部分での綴じ用接着を行うための糊塗布層ｐ2 の形成用たる糊塗布用ヘッドｍを、下側に位置させる折丁Ｑを供給するための折り機Ｍ側に設けるように構成した請求項３に記載の折丁重ね合せ装置を実施の態様とする。
【００１０】
本発明は請求項５に記載のように、対称的位置に既存の折り機Ｍ，Ｎを隣接させて用いるための折丁重ね合せ装置であって、当該折丁重ね合せ装置は、上記折り機Ｍ，Ｎから夫々供給される折丁Ｐ，Ｑをその中央部で重ね合わせるように搬送するための下位側搬送ベルト１及び上位側搬送ベルト２と、当該両側搬送ベルト1,2の下方位置に架設すると共にその中央部分は下位側搬送ベルト１に対して表紙用シートの紙厚が通る程度の間隔に近接させた表紙搬送用ベルト５とを有し、当該重ね合わせ状態においてこれを二つ折りするための紙折り用ナイフ機構を具えると共に、当該二つ折り状態において、両折丁の二つ折り部分で綴じ用接着を行うための糊塗布層ｐ2 を形成するための糊塗布機構を、下位側に位置させる折丁Ｐを供給するための折り機Ｍ側に設けるように構成した折丁重ね合せ装置に係る。
【００１１】
本発明は請求項６に記載のような構成、すなわち、無端状にしてかつ回転自在に架設した下位側搬送ベルト１及び上位側搬送ベルト２と表紙用シート搬送用ベルト５との三者を一つのセットとし、これを複数セット所定間隔を保った並行状態で架設するような形態を有する折丁重ね合せ装置であって、両搬送ベルト１，２はそれぞれ反対方向に回転するものとし、表紙用シート搬送用ベルト５は上位側搬送ベルト２と同一方向に回転するものとし、当該下位側搬送ベルト１と上位側搬送ベルト２の両端には、各折り縁ｐ1，ｑ1側を先端とするような形態で折丁を送るための既存の折り機Ｍ，Ｎを対称的に隣接させて配置すると共に、表紙用シート搬送用ベルト５には既存の表紙送り機Ｖを配置し、下位側搬送ベルト１で送られてくる折丁Ｐの停止を図るためのストッパーとしての役割を担う垂直面3ａと上位側搬送ベルト２で送られてくる折丁Ｑに対する通過を妨げないようその上面側を滑らせて通過させるためのジャンプ用台としての役割を担う斜状上面3ｂとを具えたストッパー兼ジャンプ用台３を、前記した三者セット状の搬送ベルトのそれぞれの並行間隔内に取付け、更に、他方の折り機Ｎから送られてくる折丁Ｑの所定位置での停止を図るための受け止め用片４を、両搬送ベルト1，2とは非接触状態を保つように浮かせた状態で取り付けることによって、両折り機Ｍ，Ｎから送られてくる折丁Ｐ，Ｑを、両搬送ベルト１，２による移動に基づき上記ストッパー兼ジャンプ用台３の垂直面3ａと受け止め用片４間に重ね合わせた状態で位置させると共に、上記受け止め用片４の真下には、搬送される表紙用シートＷを、上記重ね合わせ状態にある折丁Ｐ，Ｑの最下位での重ね合わせ状態で停止させるための第２受け止め用片６を垂設し、当該重ね合わせ状態においてこれを二つ折りするための紙折り用ナイフＲを設けると共に、当該二つ折り状態において、両折丁の二つ折り部分で綴じ用接着を行うための糊塗布層ｐ2 を形成するための糊塗布用ヘッドｍを、下位側に位置させる折丁Ｑを供給するための折り機Ｍ側に設けるように構成した請求項６に記載の折丁重ね合せ装置を実施の態様とする。
【００１２】
本発明は、請求項７に記載のように、糊塗布用ヘッドを表紙送り専用の折り機Ｓに設けることにより、表紙用シートＷの中央部分に綴じ用糊塗布層を形成するように構成した請求項５または請求項６の何れかに記載の折丁重ね合せ装置を実施の態様とする。
【発明の効果】
【００１３】
本発明は請求項1に記載のような方法、すなわち、紙折り用ナイフＲを具えた折丁重ね合わせ装置Ｌに対して、その対称的な方向から所定の折丁Ｐ，Ｑを同時に供給することによって、当該紙折り用ナイフＲ部分の真下に位置するように重ね合わせ、当該紙折り用ナイフＲの降下に基づきこれを二つ折りし、然る後、その二つ折り縁を除いた自余の三辺に対する裁断処理を施すようにしたから、折丁を重ね合せて製本するに際し、その製本速度が著しく高速化され、これにより生産性の向上と製造コストの低廉化が図られる。
【００１４】
すなわち、従来にあっては、各紙葉を同一の方向から順次送るような方式であるため、最初の紙葉が送られて安定した後に、次の紙葉を送ると言う様な工程を採らざるを得ず、従って、当該送り間隔時間が早すぎた場合、重ね合わせに齟齬が生じ、また、当該間隔時間を長くした場合は、生産性が劣化すると言うような問題が必然生じてしまうこととなるが、本発明にあっては、折丁を対称的な反対方向から同時に供給するように成したため、その重ね合わせ作業は著しく高速化され、生産性の向上と製造コストの低廉化が図られる。  
【００１５】
本発明は請求項２に記載のような構成、すなわち、紙折り用ナイフＲを具えた折丁重ね合わせ装置Ｌに対して、その対称的な方向から所定の折丁Ｐ，Ｑの供給と、当該折丁Ｐ，Ｑの下位に位置させるための表紙用シートＷの供給を同時的に行うことによって、これらを当該紙折り用ナイフＲ部分の真下に位置するように重ね合わせると共に、当該紙折り用ナイフＲの降下に基づきこれらを二つ折りし、然る後、その二つ折り縁を除いた自余の三辺に対する裁断処理を施すようにしたから、請求項１に記載したのと同様の効果を奏すると同時に、表紙を具えた小冊子の自動的製造目的の達成が可能化される。
【００１６】
本発明は請求項３に記載のような構成、すなわち、対称的位置に既存の折り機Ｍ，Ｎを隣接させて用いるための折丁重ね合せ装置Ｌであって、当該折丁重ね合せ装置Ｌは、上記折り機Ｍ，Ｎから夫々供給される折丁Ｐ，Ｑをその中央部で重ね合わせるように搬送するための搬送用ベルト機構と、当該重ね合わせ状態においてこれを二つ折りするための紙折り用ナイフ機構とを具え、更に、当該二つ折り状態において、両折丁の二つ折り部分で綴じ用接着を行うための糊塗布層ｐ2 を形成するための糊塗布機構を、下側に位置させる折丁Ｐを供給するための折り機Ｍ側に設けるように構成したから、前記した請求項１に記載した方法の具体的実施を可能化させるための折丁重ね合せ装置の提供が図られる。
【００１７】
本発明は請求項４記載のような構成、すなわち、無端状にしてかつ回転自在に架設した下位側搬送ベルト１と上位側搬送ベルト２をセットとし、これを複数セット所定間隔を保った並行状態で架設するような形態を有する折丁重ね合せ装置Ｌであって、両搬送ベルト１，２はそれぞれ反対方向に回転するものとし、当該下位側搬送ベルト１と上位側搬送ベルト２の両端には、各折り縁ｐ1，ｑ1側を先端とするような形態で折丁を送るための既存の折り機Ｍ，Ｎを対称的に隣接させて配置し、一方の折り機Ｍから送られてくる折丁Ｐの停止を図るためのストッパーとしての役割を担う垂直面3ａと、他方の折り機Ｎから送られてくる折丁Ｑに対する通過を妨げないようにその上面側を滑らせて通過させるためのジャンプ用台としての役割を担う斜状上面3ｂとを具えたストッパー兼ジャンプ用台３を、上記セット状搬送ベルトのそれぞれの並行間隔内に取付け、更に、他方の折り機Ｎから送られてくる折丁Ｑの所定位置での停止を図るための受け止め用片４を、両搬送ベルト1，2とは非接触状態を保つように浮かせた状態で取り付けることによって、両折り機Ｍ，Ｎから送られてくる折丁Ｐ，Ｑが、両搬送ベルト１，２による移動に基づき上記ストッパー兼ジャンプ用台３の垂直面3ａと受け止め用片４間に重ね合わせた状態で位置させるように構成し、当該重ね合わせ状態においてこれを二つ折りするための紙折り用ナイフＲを設けると共に、当該二つ折り状態において、両折丁の二つ折り部分での綴じ用接着を行うための糊塗布層ｐ2 の形成用たる糊塗布用ヘッドｍを、下側に位置させる折丁Ｑを供給するための折り機Ｍ側に設けるように構成したから、前記した請求項１に記載の方法の具体的実施が図られることとなる。
【００１８】
また、一方の折り機Ｍから送られてくる折丁の停止を図るためのストッパーとしての役割を担う垂直面3ａと他方の折り機Ｎから送られてくる折丁Ｑに対する通過を妨げないようその上面側を滑らせて通過させるためのジャンプ用台としての役割を担う斜状上面3ｂとを具えたストッパー兼ジャンプ用台３を、セット状搬送ベルトのそれぞれの並行間隔内に取付けるように構成したから、上位側に重ね合わせるための折丁Ｐは、折丁斜状上面3ｂで案内されて浮かされた状態で通過した後受け止め用片４に衝接して停止されるため、対向方向から送られる折丁Ｑに衝突することなく良好なる重ね合わせ状態に移行させることができる。
【００１９】
更に、折り機Ｍ，Ｎから送られる折丁を、各折り縁ｐ1，ｑ1側を先端とするような形態で送ることにより、その送りの最中に開いてしまったりすることがないばかりでなく、ストッパー兼ジャンプ用台３の垂直面3ａに対する衝接的停止、及び、受け止め用片４に対する衝接的停止が極めて円滑に行われ、衝接端部が開いてしまったり歪んでしまったりするような事態発生を皆無とする。
【００２０】
本発明は請求項５に記載のような構成、すなわち、対称的位置に既存の折り機Ｍ，Ｎを隣接させて用いるための折丁重ね合せ装置であって、当該折丁重ね合せ装置は、上記折り機Ｍ，Ｎから夫々供給される折丁Ｐ，Ｑをその中央部で重ね合わせるように搬送するための下位側搬送ベルト１及び上位側搬送ベルト２と、当該両側搬送ベルト1,2の下方位置に架設すると共にその中央部分は下位側搬送ベルト１に対して表紙用シートの紙厚が通る程度の間隔に近接させた表紙搬送用ベルト５とを有し、当該重ね合わせ状態においてこれを二つ折りするための紙折り用ナイフ機構を具えると共に、当該二つ折り状態において、両折丁の二つ折り部分で綴じ用接着を行うための糊塗布層ｐ2 を形成するための糊塗布機構を、下位側に位置させる折丁Ｐを供給するための折り機Ｍ側に設けるように構成したから、請求項２に記載の方法の具体的実施が図られることとなる。
【００２１】
本発明は請求項６に記載のような構成、すなわち、無端状にしてかつ回転自在に架設した下位側搬送ベルト１及び上位側搬送ベルト２と表紙用シート搬送用ベルト５との三者を一つのセットとし、これを複数セット所定間隔を保った並行状態で架設するような形態を有する折丁重ね合せ装置であって、両搬送ベルト１，２はそれぞれ反対方向に回転するものとし、表紙用シート搬送用ベルト５は上位側搬送ベルト２と同一方向に回転するものとし、当該下位側搬送ベルト１と上位側搬送ベルト２の両端には、各折り縁ｐ1，ｑ1側を先端とするような形態で折丁を送るための既存の折り機Ｍ，Ｎを対称的に隣接させて配置すると共に、表紙用シート搬送用ベルト５には既存の表紙送り機Ｖを配置し、下位側搬送ベルト１で送られてくる折丁Ｐの停止を図るためのストッパーとしての役割を担う垂直面3ａと上位側搬送ベルト２で送られてくる折丁Ｑに対する通過を妨げないようその上面側を滑らせて通過させるためのジャンプ用台としての役割を担う斜状上面3ｂとを具えたストッパー兼ジャンプ用台３を、前記した三者セット状の搬送ベルトのそれぞれの並行間隔内に取付け、更に、他方の折り機Ｎから送られてくる折丁Ｑの所定位置での停止を図るための受け止め用片４を、両搬送ベルト1，2とは非接触状態を保つように浮かせた状態で取り付けることによって、両折り機Ｍ，Ｎから送られてくる折丁Ｐ，Ｑを、両搬送ベルト１，２による移動に基づき上記ストッパー兼ジャンプ用台３の垂直面3ａと受け止め用片４間に重ね合わせた状態で位置させると共に、上記受け止め用片４の真下には、搬送される表紙用シートＷを、上記重ね合わせ状態にある折丁Ｐ，Ｑの最下位での重ね合わせ状態で停止させるための第２受け止め用片６を垂設し、当該重ね合わせ状態においてこれを二つ折りするための紙折り用ナイフＲを設けると共に、当該二つ折り状態において、両折丁の二つ折り部分で綴じ用接着を行うための糊塗布層ｐ2 を形成するための糊塗布用ヘッドｍを、下位側に位置させる折丁Ｑを供給するための折り機Ｍ側に設けるように構成することにより、請求項２に記載の方法の具体的実施が図られることとなる。
【００２２】
更に、無端状にしてかつ回転自在に架設した下位側搬送ベルト１及び上位側搬送ベルト２と表紙用シート搬送用ベルト５との三者を一つのセットとし、これを複数セット所定間隔を保った並行状態で架設するような形態を有するように構成したから、小冊子の本文を成す折丁部分と、これを挟着する表紙部分との同時的供給が図られることとなる。  従って、当該小冊子の製造スピードが著しく向上化されることとなる。
【００２３】
本発明は請求項７に記載の構成、すなわち、糊塗布用ヘッドを表紙送り専用の折り機Ｓに設けることにより、表紙用シートＷの中央部分に綴じ用糊塗布層を形成することにより、表紙用シートＷも折丁Ｐ，Ｑと一緒に綴じられたような形態の小冊子の製造が可能化される。  換言すると、請求項５または請求項６に記載のような構成の場合、表紙用シートＷは、折丁Ｐ，Ｑで構成される小冊子を挟み込む二つ折りされたファイルのような形態を呈するものであるが、請求項７に記載のような構成の採用に基づき、当該表紙部分も綴じられた状態にある小冊子の提供が図られることとなる。
【００２４】
本発明は、二つの折丁（二単位の折丁）を重ね合わせると共に二つ折りすることにより小冊子を製本することを第１の方法とし、これに表紙用シートも同時的に綴り込む様にすることを第２の方法とするものである。
【発明を実施するための最良の形態】
【００２５】
図１乃至図３は本発明に係る第１の方法を表した説明用図面である。  そして、同図に示すように、主として後述するような本発明に係る第１の折丁重ね合せ装置を用いて、二つの折丁（二単位の折丁）を重ね合わせると共に、紙折り用ナイフを介して二つ折りし、然る後、綴り縁を除いた三辺に対する裁断処理を施すことにより、所望の小冊子の製本を行うようにしたものである。
【００２６】
図１は本発明に係る折丁を重ね合せて製本するための方法を表したブロック線図であって、本発明の技術的骨子は、同図に示すように、既存の折り機Ｍ，Ｎの中間部分に折丁重ね合わせ装置Ｌを配置し（図２のＡ参照）、当該左右の折り機Ｍ，Ｎを介して折丁された所定の折丁Ｐ，Ｑを、その各折り縁ｐ1，ｑ1側を先端とするような形態で、上記折丁重ね合わせ装置Ｌに送り込むと共に、当該重ね合わせ装置Ｌの中央部所定位置に重合合致させることにある（図２のＢ参照）。  そして、当該重ね合わせ時に下位に位置する折丁Ｐの中央中心部には、綴じ用糊塗布層ｐ2を形成しておき（図７参照）、このような積み重ね状態において、当該重ね合わせ装置Ｌに設けられている紙折り用ナイフＲを介して二つ折り処理を行い（図２のＢ及びＣ参照）、  然る後、既存の三方トリマーＳを用いて当該二つ折りした縁（綴り縁）を除いた自余の三辺に対して図３に示すように裁断処理Ｔを施すことにより、所望の小冊子製品Ｕの完成化を図るようにしたものである。
【００２７】
なお、上記した「折丁Ｐ，Ｑを、その各折り縁ｐ1，ｑ1側を先端とするような形態で、上記折丁重ね合わせ装置Ｌに送り込むと」と言う送り込み折丁に関する「向き」の指定性であるが、これは後述するような構成を有する折丁重ね合わせ装置Ｌに対する折丁供給上の安定性を図るためであり、方法的にはこのような指定性（限定性）は存在しない。
【００２８】
本発明に係る第１方法は、前後または左右のような対称的な方向からの折丁の受入を可能とするようにした折丁重ね合わせ装置Ｌの両側部に、既存の折り機Ｍ，Ｎを配置して行うものである。  なお、当該折丁重ね合わせ装置Ｌは本発明独自のものであるが、折り機Ｍ，Ｎは通常方式、すなわち折丁の形成及びその供給が自動的に行われるという方式のものであれば如何なるものであっても転用利用可能とする。  すなわち、折り機Ｍ，Ｎは原則として既存の折り機の利用を可能とするものである。
【００２９】
なお、一方の折り機Ｍは糊塗布用ヘッドｍを具えたものを用い（図７参照）、当該折り機Ｍを介して送り込まれる折丁Ｐの中央中心部に綴じ用糊塗布層ｐ2が形成されるようにしてある。  なお、このような糊塗布層ｐ2が形成されている折丁Ｐは、他方の折り機Ｎから送り込まれる折丁Ｑの下位に位置させることによって（糊塗布層ｐ2が上面に位置させることによって）、紙折り用ナイフＲによる二つ折り時の押圧力に基づきその糊塗布層ｐ2が上位側の折丁Ｑの中央中心部に接着させられ、二つ折り完了時には両折丁Ｐ，Ｑが綴じられた状態となるようにしてある。      
【００３０】
また、上記した二つ折りされかつその二つ折り部分で綴じられた折丁Ｐ，Ｑは、三方トリマーＳを用いて当該二つ折りした縁（綴り縁）を除いた自余の三辺に対する裁断処理Ｔを施す（図３参照）。  これは整形的役割と、折丁自体が三つ折り、四つ折り等、複数の枚数に折畳んだものを一単位として用い、上記のようにこれを二単位重ね合わせた後の二つ折りに基づき形成されたものの場合、当該二つ折りした縁（綴り縁）を除いた自余の三辺を裁断することによって、折丁の綴り縁以外の折曲げ縁（連結縁）に対する切り離しが成され、各独立した頁が形成されることとなる。  なお、上記のように用いる三方トリマーＳは既存の機械に属し、また、これによる上記のような裁断目的も従来から行われているものである。
【００３１】
すなわち、本発明方法の第１の特徴とするところは、既存の折り機を折丁重ね合わせ装置Ｌに対して対称的に配置した点にあり、そして、本発明方法の第２の特徴とするところは、当該対称的に配置した２台の折り機を介して所定の折丁Ｐ，Ｑを、折丁重ね合わせ装置Ｌに対して、両者同時に供給して重ね合わせるようにした点にある。  これにより、従来のように、同一の方向から折丁を順次に供給していた場合に比して、その供給速度の半減化を図ったことを特徴とするものである。
【００３２】
換言すると、本発明に係る方法の要旨とするところは、紙折り用ナイフＲを具えた折丁重ね合わせ装置Ｌに対して、その対称的な方向から所定の折丁Ｐ，Ｑをその各折り縁ｐ，ｑ側を先端とするような形態で同時に供給することによって、当該紙折り用ナイフＲ部分の真下に位置するように重ね合わせ、当該紙折り用ナイフＲの降下に基づきこれを二つ折りし、然る後、その二つ折り縁を除いた自余の三辺に対する裁断処理を施すことにある。  
【００３３】
図４乃至図６は上記した第１の方法を実施するための装置、すなわち、本発明に係る第１の装置たる折丁重ね合せ装置Ｌを表したものである。  すなわち、同装置はその全長に亙って架設された下位側搬送ベルト１と上位側搬送ベルト２とを有し、両搬送ベルト１,２は両端が所要のプーリーで支承されて無端回転がなされるように架設してある。  そして、当該下位側搬送用ベルト１の上面側ベルト部分（無端ベルトを呈するベルトの上側部分）と、上位側搬送用ベルト２の下面側ベルト部分（無端ベルトを呈するベルトの下側部分）とは所定の間隙を保った対向状態となるようにして架設してある。
【００３４】
前記した下位側搬送用ベルト１は図示の状態に於いて左端側が後述する折丁Ｐの受入用端部とし、また、上位側搬送用ベルト２は同右端側が後述する折丁Ｑの受入用端部とするように構成してある。  すなわち、折丁Ｐと折丁Ｑとは対称的な位置（反対側の位置）から供給されるように構成してある。
【００３５】
上述した下位側搬送ベルト１と上位側搬送ベルト２は、当該両搬送用ベルト1，2  を対とする一つのセットとし、これを複数セット（図示の実施例にあっては四セット）所定間隔を保った並行状態で架設してある。  そして、各下位側搬送ベルト１は図示の状態に於いて左側から折丁を内方向に送り込むような回転（時計方向の回転）が、また、各上位側搬送ベルト２は図示の状態に於いて折丁を右側から内方向に送り込むような回転（反時計方向の回転）が成されるように構成してある。  なお、このような回転は所要の駆動装置を介して行われるものであるが、図面に於いては省略してある。
【００３６】
上記した下位側搬送ベルト１と上位側搬送ベルト２の両端には、既存の折り機Ｍ，Ｎが対称的に隣接するように配置してある。  そして、当該折り機Ｍ，Ｎは、二つ折り、四つ折り、八つ折り等所定の形態に折られた折丁Ｐ，Ｑを、当該下位側搬送ベルト１と上位側搬送ベルト２の各端部に送り込み、当該両搬送ベルト1，2の回動に基づきその中央方向に送られるように構成してある。
【００３７】
３は両搬送ベルト1,2の回転を妨げないように各搬送ベルトの並行間隔内に取付けたストッパー兼ジャンプ用台であって、図面において左側から送られてくる折丁Ｑに対する所定位置での停止を図るためのストッパーとしての役割を担う垂直面3ａと、右側から送られてくる折丁Ｐが反対側から送られてくる折丁Ｑとの衝突を防ぐように当該折丁Ｐを浮かせた状態（ジャンプするようにやや浮かせた状態）に転化させるためのジャンプ用台としての役割を担う斜状上面3ｂとを具えたものである。
【００３８】
４は受け止め用片であって、両搬送ベルト1，2とは非接触状態を保つように浮かせた状態（図５及び図６参照）で支持するように架設してあり、図面に於いて右側方向から送られてくる折丁Ｑの所定位置での停止を図るためのものである。
【００３９】
そして、上述したストッパー兼ジャンプ台３の垂直面3ａと、受け止め用片４の対向間隔は、定位置で積み重ねられた状態にある折丁Ｐ，Ｑの幅（送り方向の長さ寸法）と等しくなるように設定してあり、かつ、折丁重ね合せ装置の平面に於いて中央に位置するように設けることが好ましい。
【００４０】
Ｒは紙折り用ナイフであって、ストッパー兼ジャンプ台３の垂直面3ａと受け止め用片４との対向間隔内に昇降自在に設けられている。  そして、当該紙折り用ナイフＲは、当該ストッパー兼ジャンプ台３の垂直面3ａと受け止め用片４との対向間隔内において積み重ねられた折丁Ｐ，Ｑを二つ折りすると共に、下方に落下排出させるためのものである。
【００４１】
なお、図面に於いては省略してあるが、当該ナイフＲを降下させた際、折丁を二つ折りさせるような所定のスリットを形成しておくための折丁支持手段を有し、当該ナイフＲの押し下げ力に基づき折丁の当該スリット内通過を図ることにより、その二つ折り作用が奏されるように構成してある。  なお、このような構成は既存の技術に属するものである。
【００４２】
上記したような落下排出作動と、これに伴う紙折り用ナイフＲの復元作動に基づき、折丁重ね合わせ装置Ｌは次回の二つ折り作業に対する準備状態におかれることとなる。  従って、折丁の供給のタイミングと、紙折り用ナイフＲの昇降運動のタイミングとは同期させておくことが必要である。
【００４３】
ｍは糊塗布用ヘッドであって、一方の折り機Ｍにセットされているものである。  すなわち、当該折り機Ｍから送られる折丁Ｐの中央中心部には図７に示すようにして綴じ用糊塗布層ｐ2が形成され、当該折丁Ｐを、他側の折り機Ｎから送り込まれる折丁Ｑの下位に位置させることによって、上述した紙折り用ナイフＲによる二つ折り時の押圧力に基づきその糊塗布層ｐ2が上位側の折丁Ｑの中央中心部に接着させられ、二つ折り完了時には両折丁Ｐ，Ｑが接着に基づき綴じられた状態となるように構成してある。
【００４４】
ところで、当該糊塗布用ヘッドｍはあくまでも上記したような二つ折り完了時に両折丁Ｐ，Ｑが綴じられた状態とするための接着を司るものである。  すなわち、折丁として四つ折、八つ折り等の場合、それぞれ所定の位置に綴じ用糊付け部を形成することを要するものであるが、これは折丁を形成する際の既存折り機自体に有する機能に属し、そのための構成は既存技術に属するため（例えば特許文献１に示されているような糊付け形態）これに対する説明は省略する。
【００４５】
換言すると、上記した糊塗布用ヘッドｍは本発明の構成上必要とするために、二つある折り機Ｍ，Ｎのうち、下側に位置させるための折丁Ｐを送る方の折り機Ｍ側だけに取り付けるように構成したものである。
【００４６】
上記したような構成を有する本発明に係る第１の折丁重ね合せ装置は、次のような作動を呈することとなる。
【００４７】
図４に示すように、折丁重ね合せ装置Ｌの両側に対称的に隣接されている既存の折り機Ｍ，Ｎから同時に送られてくる折丁Ｐ，Ｑは、当該折丁重ね合せ装置Ｌの下位側搬送ベルト１と上位側搬送ベルト２を介して折丁重ね合せ装置Ｌの中央部分に重ね合わされた状態となるような送り込み作動が呈される。
【００４８】
すなわち、一方の折り機Ｍから送られる折丁Ｐは、下位側搬送用ベルト１上に乗せられてこれの回転（図示の実施例にあっては時計方向の回転）に伴い移動すると共に、ストッパー兼ジャンプ台３の垂直面3ａに衝接した状態で停止する。
【００４９】
一方、反対側にある他方の折り機Ｎから送られる折丁Ｑは、上位側搬送用ベルト２上に乗せられてこれの回転（図示の実施例にあっては反時計方向の回転）に伴い移動するが、途中に存在するストッパー兼ジャンプ台３に対してはその上面に形成されている斜状上面3ｂで案内されて浮かされた状態で通過した後、受け止め用片４のストッパー部4ａに衝接して停止される。  なお、当該受け止め用片４は、両搬送ベルト1，2とは既述したように非接触状態を保つように浮かせた状態で架設してあるため、これの存在が折丁Ｐの供給上の邪魔となることがない。
【００５０】
すなわち、上記した一方の折り機Ｍから送られる折丁Ｐと、これと反対側の折り機Ｎから送られる折丁Ｑは、上述したような送り作動に基づき、ストッパー兼ジャンプ台３の垂直面3ａと受け止め用片４との間に積み重ね状態で位置することとなる。  そして、一方の折丁Ｐは下位側搬送用ベルト１上に乗せられて送られるために下段側に、これと反対側から送られる他方の折丁Ｑは上位側搬送用ベルト２上に乗せられ送られるために上段側に位置するような状態で積み重ねられることなる。
【００５１】
この状態で紙折り用ナイフＲを降下させて、上記積み重ね状態にある折丁Ｐ，Ｑを二つ折りすれば、当該二つ折りのための押圧力に基づき、下位側に位置する折丁Ｐに設けられている糊塗布層ｐ2を介して、両折丁Ｐ，Ｑは綴じられた状態に接着させられることとなる。
【００５２】
このような作動の最終工程として既存の三方トリマーＳを用いて、上記二つ折り状態にある折丁Ｐ，Ｑに対して、その綴じ縁を除いた自余の三辺に対する裁断処理Ｔを施すことにより（図３参照）小冊子等の製品Ｕが完成化される。
【００５３】
図８は本発明に係る第２の方法を表し、図９及び図１０は同方法を実施するための第２の装置を表したものである。  そして、本発明に係る第２の方法は、前述した本発明に係る第１の方法に対して、表紙用シートの綴じ込みを付加したものである。
【００５４】
図９において、既存の折り機Ｍ，Ｎの中間部分に折丁重ね合わせ装置Ｌを配置することは既述した第１の方法と同様であるが、第２の方法はこれに加えて表紙送り専用の折り機Ｓを配置する（図９のＡ’参照）。
【００５５】
そして、第１の方法と同様に、当該左右の折り機Ｍ，Ｎを介して折丁された所定の折丁Ｐ，Ｑを、その各折り縁ｐ1，ｑ1側を先端とするような形態で、上記折丁重ね合わせ装置Ｌに送り込むと共に、当該重ね合わせ装置Ｌの中央部所定位置に重合合致させるわけであるが、これと同時的に、表紙送り機Ｖを介して表紙用シートＷを送り込むことによって、上記のように重合合致化されている折丁Ｐ，Ｑの最下位に重ねて位置させる。（図２のＢ‘参照）。
【００５６】
この時、当該重ね合わせ時に下位に位置する折丁Ｐの中央中心部には、綴じ用糊塗布層ｐ2を形成しておくこと（図７参照）は、第１の方法と同様であるが、第２の方法にあっては、前記した表紙用シートＷの中央部分に綴じ用糊塗布層を形成しておく。  この糊塗布層の形成手段は、図７に示すものと同様にして行うものであるが、この場合、糊塗布用ヘッドｍを表紙送り専用の折り機Ｓにセットしておくことにより行われる。  そして、当該表紙送り専用の折り機Ｓであるが、これは既存の折り機を用い、紙折りはせずにその供給作動を利用するようにしても良い。
【００５７】
上記したような三者の積み重ね状態において、当該重ね合わせ装置Ｌに設けられている紙折り用ナイフＲを介して二つ折り処理を行い（図８のＢ’及びＣ’参照）、然る後、既存の三方トリマーＳを用いて当該二つ折りした縁（綴り縁）を除いた自余の三辺に対して図３に示すように裁断処理Ｔを施すことにより、「おもて表紙」と「うら表紙」て挟まれた状態の小冊子製品の完成化が図られる。
【００５８】
なお、当該表紙用シートＷは上記のような糊塗布層を形成しなかった場合は、綴じられた小冊子を挟み込むようなファイル表紙的なものとすることが出来る。  この場合は、当該表紙用シートＷ紙質をハードなものとすることが好ましい。  本発明に係る第２の方法はこのような形態で実施する場合もある。
【００５９】
図９及び図１０は上記した第２の方法を実施するための第２の装置を表したものであっって、既述した第１の装置に対して、表紙専用の搬送用ベルトを付加したものである。  従って、第１の装置と同一部分は同装置と同一符号を付してあり、当該部分の構造は第１の装置で説明したものとほぼ同一であるため、これについての説明はここでは省略し、新たに付加された部分について説明する。  なお、第２の装置の場合、下位搬送用ベルト１の張設形態が、第１の装置を示す図４および図６に示すものとやや異なっているが、これは下記する表紙搬送用ベルト５を付加するためのスペース上の張設形態の変更であり、作用効果上においては全く同一である。
【００６０】
図９及び図１０において、５は表紙搬送用ベルトであって、下位側搬送ベルト１と上位側搬送ベルト２の下位に位置するように架設すると共に、その中央部分は下位側搬送ベルト１と極めて接近した間隔（表紙用シートの紙厚が通る程度の間隔）臨まされている。  そして、第１の装置における受け止め用片４の真下に、搬送される表紙用シートＷを停止させるためのストッパー部6ａを有する第２受け止め用片６を垂設してある（両者を一体成形したものを架設するような形態でも良い）。  なお、当該第２受け止め用片６の存在が、表紙搬送用ベルト５の回転の邪魔とならないように、当該表紙搬送用ベルト５と非接触状態を保つように浮かせた状態で支持することは、受け止め用片４の場合と同様である。
【００６１】
上記したような構成を有する本発明に係る第２の折丁重ね合せ装置は、次のような作動を呈することとなる。
【００６２】
第１の装置において説明したように、折丁重ね合せ装置の両側に対称的に隣接されている既存の折り機Ｍ，Ｎから同時に送られてくる折丁Ｐ，Ｑは、当該折丁重ね合せ装置の下位側搬送ベルト１と上位側搬送ベルト２を介して折丁重ね合せ装置Ｌの中央部分に重ね合わされた状態となるような送り込み作動が呈されると共に、ストッパー兼ジャンプ台３及び受け止め用片４によって、中央所定位置で積み重ねられることとなる。  そして、これと同時に、表紙搬送用ベルト５を介して送られる表紙用シートＷも、当該積み重ね状態にある折丁Ｐ，Ｑの真下に位置した際に第２受け止め用片６により停止され、これらの最下位に位置する状態で重ねられることとなる。
【００６３】
この状態で紙折り用ナイフＲを降下させて、上記積み重ね状態にある折丁Ｐ，Ｑ及び表紙用シートＷを二つ折りすれば、当該二つ折りのための押圧力に基づき、下位側に位置する折丁Ｐに設けられている糊塗布層ｐ2を介して、両折丁Ｐ，Ｑは綴じられた状態に接着させられることとなる。  そして、表紙用シートＷにもこのような糊塗布層を設けておけば綴られた状態になり、また、当該糊塗布層を設けなかった場合は、両折丁Ｐ，Ｑを挟み込んだファイル的形態の表紙として機能することとなる。
【００６４】
このような作動の最終工程として既存の三方トリマーＳを用いて、上記二つ折り状態にある折丁Ｐ，Ｑお呼び表紙用シートＷに対して、その綴じ縁を除いた自余の三辺に対する裁断処理Ｔを施すことにより図３に示すのと同様な小冊子等の製品が完成化される。
【図面の簡単な説明】
【００６５】
【図１】本発明に係る方法を表したブロック線図である。
【図２】本発明に係る方法を表した説明用工程図であって、図Ａは折丁の送り直前状態を、図Ｂは送られた折丁の重ね合せ状態を、図Ｃは紙折り用ナイフＲを介しての折曲げ処理状態を表したものである。
【図３】本発明に係る方法で製造されかつ三方トリマーＳを用いて綴り縁を除いた三辺に対する裁断処理を施す前の状態を表した斜視図である。
【図４】本発明に係る装置の説明用正面図である。
【図５】本発明に係る装置の説明用平面図である。
【図６】本発明に係る装置の主要部分を抜粋して示す説明用正面図である。
【図７】折り機Ｍ，Ｎに設けられている糊塗布用へッドによる綴用糊付け状態を表した説明用斜視図である。
【図８】本発明に係る第２の方法を表した説明用工程図であって、図A’は折丁及び表紙用シートの送り直前状態を、図Ｂ’は送られた折丁及び表紙用シートの重ね合せ状態を、図Ｃ’は紙折り用ナイフＲを介しての折曲げ処理状態を表したものである。
【図９】本発明に第２の方法の実施を図るための装置の説明用平面図である。
【図１０】本発明に第２の方法の実施を図るための装置の主要部分を抜粋して示す説明用側面図である。
【図１１】従来の小冊子の製造工程を表した説明用略図である。
【符号の説明】
【００６６】
Ｍ  既存の折り機
ｍ  糊塗布用ヘッド
Ｎ  既存の折り機
Ｌ  重ね合わせ装置
Ｐ  折丁
ｐ1 折り縁
ｐ2 糊塗布層
Ｑ  折丁
ｑ1 折り縁
Ｒ  紙折り用ナイフ
Ｓ  三方トリマー
Ｔ  裁断処理
Ｕ  製品
Ｖ  表紙送り機
Ｗ  表紙用シート
１  下位側搬送ベルト
２  上位側搬送ベルト
３  ストッパー兼ジャンプ用台
3a  垂直面
3b  斜状上面
４  受け止め用片
4a  ストッパー部
５  表紙搬送用ベルト
６  第２受け止め用片  
【図１】
2011126201.tif 000003
【図２】
2011126201.tif 000004
【図３】
2011126201.tif 000005
【図４】
2011126201.tif 000006
【図５】
2011126201.tif 000007
【図６】
2011126201.tif 000008
【図７】
2011126201.tif 000009
【図８】
2011126201.tif 000010
【図９】
2011126201.tif 000011
【図１０】
2011126201.tif 000012
【図１１】
2011126201.tif 000013